(57)【要約】【課題】警報機器等の艤装作業を簡易化し、低コストによる取り付けを可能にした緊急車両等の警報機器取付け装置を提供する。【解決手段】収容支持体２に指令台５が一体に形成されている。その収容支持体２に複数種類の警報機器７、８、９、１０が所定の取付位置に取り付けられた状態で緊急車両２０のルーフ上に取り付けられるようになっている。【選択図】図１
2007145155.tif 000002
【特許請求の範囲】
【請求項１】
指令台が一体に形成された収容支持体に複数種類の警報機器が所定の取付位置に取り付けられ、該該収容支持体が車両のルーフ上に取り付けられるようにした緊急車両等の警報機器取付け装置。
【請求項２】
前記収容支持体が別構造の取付け座を介して車両のルーフ上に取り付けられるようにした請求項１に記載の緊急車両等の警報機器取付け装置。
【請求項３】
前記収容支持体が繊維強化樹脂の成形体からなる請求項１又は２に記載の緊急車両等の警報機器取付け装置。
【請求項４】
前記警報機器が回転灯、サイレン、スピーカー及びアンテナから選ばれた機器である請求項１、２又は３に記載の緊急車両等の警報機器取付け装置。
【請求項５】
前記緊急車両が消防自動車、救助工作車、資機材搬送車、警察車両又は緊急車両以外の特殊車両である請求項１〜４のいずれかに記載の緊急車両等の警報機器取付け装置。
【発明の詳細な説明】
【技術分野】
【０００１】
本発明は緊急車両等の警報機器取付け装置に関し、更に詳しくは、車両の種類の如何をかかわらず警報機器等の艤装を容易ににした緊急車両等の警報機器取付け装置に関する。
【背景技術】
【０００２】
比較的に規模の大きな消防署には、消防自動車のほかに災害救助用の救助工作車や資機材搬送車などの緊急車両が配置されている。これら緊急車両は、現場への移動を容易にするため、赤色回転灯、サイレン、スピーカー、アンテナなどの警報機器をルーフ上に取り付けており、火災や災害地などの現場に急行する場合、これら警報機器を利用して短時間のうちに現場へ到着できるようにしている（特許文献１、２等参照）。また、現場での作業を円滑にするため、車両のルーフ上に指令台を設け、その指令台に指揮官が立って指揮が行えるようにしたものもある。
【０００３】
上記警報機器や指揮台を緊急車両に取り付ける作業は、一般的に所管の消防署からの注文に応じて艤装メーカーが車両毎に設計を行い、取り付けを行っている。しかし、艤装作業は、まず個々の警報機器毎に取付位置、その補強仕様や電気配線などの設計を行い、次いでそれぞれの機器毎に取り付けを行うようになっている。また、指揮用の指令台は、別個に製作を行って設置されている。そのため作業の工数が著しく多くなっており、非常にコスト高になっていた。
【特許文献１】特開平６−３９０５２号公報
【特許文献２】特開２００５−９６７１５号公報
【発明の開示】
【発明が解決しようとする課題】
【０００４】
本発明の目的は、警報機器等の艤装作業を簡易化し、低コストによる取り付けを可能にした緊急車両等の警報機器取付け装置を提供することにある。
【課題を解決するための手段】
【０００５】
上記目的を達成する本発明の緊急車両等の警報機器取付け装置は、指令台が一体に形成された収容支持体に複数種類の警報機器が所定の取付位置に取り付けられ、該該収容支持体が車両のルーフ上に取り付けられるようにしたことを特徴とするものである。
【発明の効果】
【０００６】
本発明によれば、単一の収容支持体に複数種類の警報機器が所定の位置に取り付けられるようになっており、この収容支持体を複数種類の警報機器を装着した状態にして緊急車両のルーフに取り付け可能になっているため、従来のように警報機器毎に位置決めや配線の設計をすることなく複数種類の警報機器を一度に装着することができるので、これらの艤装作業を簡易化して低コスト化するすることができる。また、収容支持体に対して指令台が一体に形成されているため、この指令台も個別の設計や取付けをすることなく警報機器と共に同時取り付けることができる。
【発明を実施するための最良の形態】
【０００７】
図１は、本発明による緊急車両等の警報機器取付け装置を例示する斜視図である。
警報機器取付け装置１は、繊維強化樹脂により一体成形された収容支持体２を有している。収容支持体２は、前部側に中央および左右両側の３箇所に区分された収納部３ｃ，３ｓ，３ｓが形成され、その後部側に、周囲に転落防止用の立壁５ｗを設けると共に、底面に滑止め用の凹凸６を有する底板５ｂを設けるようにした指令台５が形成されている。
【０００８】
前部側の左右両側の収納部３ｓ，３ｓは、それぞれ外壁が赤色、青色、黄色等の半透明の樹脂又はガラスで覆われ、警報機器である回転灯７，７を装着するようになっている。また、中央の収納部３ｃは、外壁が不透明樹脂で覆われているが、前面に多数の透視孔４が設けられ、その内側に警報機器であるサイレン８やスピーカー９が装着されるようになっている。また、前部側の上面には、無線通信用のためのアンテナ１０が同じく警報機器の１種として装着されるようになっている。
【０００９】
また、上記のように収容支持体２の所定の取付け位置に装着されたれた回転灯７、サイレン８、スピーカー９、アンテナ１０は、それぞれの電気リード線（図示せず）が１本に集束され、緊急車両に取り付けられるとき、そのルーフ上の１箇所に設けた導入孔から運転室内に導けるようになっている。
【００１０】
上記のように予め回転灯７、サイレン８、スピーカー９、アンテナ１０などの警報機器が装着された収容支持体２は、図２に示すように、緊急車両２０（図示の場合は救助工作車）に対して取付け座２１を介してキャビン２２（運転室）のルーフ上に装着される。このとき複数種類の警報機器に接続されている配線は、それぞれ１本に集束されて緊急車両２０のルーフ上に設けた１箇所の透し孔から運転室に導かれるようになっている。
【００１１】
本発明の警報機器取付け装置１は、上述したように複数種類の警報機器を収容支持体２に予め装着した状態にして緊急車両２０に取り付けられるので、一つ一つの警報機器毎に設計作業と取付け作業とが行われていた従来の艤装作業に比べて作業が簡易化し、低コスト化することができる。また、指令台５が収容支持体２に一体に形成されているので、この指令台５の取付け作業も簡略化することができる。
【００１２】
本発明において、収容支持体２を形成する材料としては、樹脂または軽金属等が好ましく使用される。なかでも、繊維で補強した繊維強化樹脂が最も好ましい。
【００１３】
本発明において、取付け座２１は必ずしも必要ではなく、これを使用しても、使用しなくてもよい。一般に緊急車両のルーフ形状はシャシーメーカー毎の違いはそれほど大きくはないので、収容支持体２の底面側を汎用性の高い共通形状にしておけば、殆どの緊急車両に直接取り付けることができる。ルーフが特殊な形状の場合には、取付け座を利用するとよい。すなわち、取付け座の底面側形状だけを、その特殊なルーフ面に合わせた加工をするだけで、収容支持体２は特に形状変更を行うことなく、共通の仕様のままで装着することができる。
【００１４】
本発明の警報機器取付け装置が適用される緊急車両等としては、図２に例示した救助工作車に限定されるものではなく、赤色等の回転灯、サイレン、スピーカー、アンテナなどの警報機器を取り付る緊急用の車両であれば、いずれも使用することができる。例えば、消防署などに装備される消防自動車、救助工作車、資機材搬送車、警察署などに装備される装甲車やパトロールカー、電力会社やガス会社に装備される工事車、そのほか緊急車以外の特殊車両などを例示することができる。これらのうちでも、特に消防自動車、救助工作車、資機材搬送車などの大型緊急車両に対する場合が最も有効である。
【図面の簡単な説明】
【００１５】
【図１】本発明による緊急車両の警報機器取付け装置を例示する斜視図である。
【図２】本発明の警報機器取付け装置を装着した緊急車両を例示する側面図である。
【符号の説明】
【００１６】
１  警報機器取付け装置
２  収納支持体
５  指令台
７  赤色回転灯
８  サイレン
９  スピーカー
１０  アンテナ
２０  緊急車両
２１  取付け座
【図１】
2007145155.tif 000003
【図２】
2007145155.tif 000004